(57)【要約】【課題】  核燃料物質を水中に保持しながら切削を行う場合において、ホウ素を添加せずとも臨界防止が可能な、溶融燃料の切削装置および切削方法を提供する。【解決手段】  溶融燃料を切削する切削装置において、切削機の周囲を囲うように核燃料物質片の飛散を抑制する臨界防止カバーを有し、臨界防止カバーを着脱可能として、溶融燃料の状態に応じて臨界防止に適切な大きさの臨界防止カバーに付け替えられるようにする。あるいは、溶融燃料を切削する切削方法において、核燃料物質を切削する前に、溶融燃料の状態に応じて臨界防止に適切な大きさで、切削機の差し込み穴を有する臨界防止カバーを溶融燃料の上に配置し、切削機の差し込み穴から切削機を挿入して溶融燃料の切削を行う。【選択図】図１
2013205127.tif 000002
【特許請求の範囲】
【請求項１】
核燃料物質を切削する切削機と、前記切削機の周囲を囲うように核燃料物質片の飛散を抑制する臨界防止カバーとを有してなり、
前記臨界防止カバーを着脱可能として、前記核燃料物質の状態に応じて臨界防止に適切な大きさの臨界防止カバーに付け替えられるようにしたことを特徴とする核燃料物質の切削装置。
【請求項２】
請求項１記載の核燃料物質の切削装置において、
前記臨界防止カバーは円筒形状を有し、円筒内径の異なる複数の前記臨界防止カバーを付け替えられることを特徴とする核燃料物質の切削装置。
【請求項３】
請求項１記載の核燃料物質の切削装置において、
前記臨界防止カバーは角型形状を有し、内幅の異なる複数の臨界防止カバーを付け替えられることを特徴とする核燃料物質の切削装置。
【請求項４】
切削機により核燃料物質の切削を行う場合において、
前記核燃料物質の状態に応じて臨界防止に適切な大きさの臨界防止カバーを選択する工程と、前記核燃料物質上に前記臨界防止カバーを配置する工程と、前記臨界防止カバーに設けられた開口部から切削機を差し込んで核燃料物質の切削を行う工程とからなる核燃料物質の切削方法。
【請求項５】
請求項４記載の核燃料物質の切削方法において、
前記臨界防止カバーは、格子形状であることを特徴とする核燃料物質の切削方法。
【発明の詳細な説明】
【技術分野】
【０００１】
本発明は、原子力プラントにおける核燃料物質の切削装置および切削方法に係り、特に、沸騰水型原子力プラント及び加圧水型原子力プラントに適用するのに好適な原子力プラントにおける核燃料物質の切削装置および切削方法に関する。
【背景技術】
【０００２】
沸騰水型原子力プラント及び加圧水型原子力プラント等の原子力プラントでは、核燃料物質を含む複数の燃料集合体が原子炉の炉心に装荷されている。炉心内に装荷されてから所定の運転サイクル数での原子炉の運転を経験した燃料集合体は、使用済燃料集合体として原子炉内から原子炉外に搬出されている。
【０００３】
沸騰水型原子力プラントにおける使用済燃料集合体の原子炉からの搬出方法の一例が、特開平８−２６２１８２号公報（特許文献１）に記載されている。この特許文献１の使用済燃料集合体は、原子炉建屋内の運転床に移動可能に設置された燃料交換機を用いて原子炉内から取り出され、原子炉建屋内に形成された燃料貯蔵プールに搬送される。
【先行技術文献】
【特許文献】
【０００４】
【特許文献１】特開平８−２６２１８２号公報
【発明の概要】
【発明が解決しようとする課題】
【０００５】
現在の沸騰水型原子力プラント及び加圧水型原子力プラント等の原子力プラントでは、核分裂性ウラン同位体であるＵ２３５の全ウランに対する重量割合が、最高でも５％程度の低濃縮ウランが主に燃料として用いられている。
【０００６】
このような低濃縮ウランでは、ウランと中性子減速材である水が、臨界に適した体積比あるいは原子数比（以下まとめて混合割合と称する）で混合し、かつそのウランと水の混合体がある大きさ以上になった場合に初めて臨界となる。なお、ウランと水の混合体とは、燃料集合体のように、ウランが格納された燃料棒間に水が存在するような場合も含む。
【０００７】
また、ウランと水の混合体の大きさとは、ある混合体と別な混合体物との間に実質的に中性子のやりとりがない場合の、それぞれの混合体の体積を指す。また、燃料中にはＵ２３５以外の核分裂性同位体が含まれる場合があるが、以下ではそれらの核分裂性同位体も含めてウランと総称する。
【０００８】
燃料集合体を搬出する場合、原子炉内やその他搬出過程において、臨界とならないように注意する必要がある。
【０００９】
特開平８−２６２１８２号公報（特許文献１）に記載された使用済燃料集合体の原子炉内からの搬送方法は、沸騰水型原子力プラントの原子炉内の核燃料物質が、健全な燃料集合体内に存在している場合において炉心から使用済燃料集合体を搬出する方法である。健全な燃料集合体一体では臨界となる大きさよりも小さいため、燃料集合体を一体ずつ搬出すれば臨界となる可能性がなく、安全に搬出できる。
【００１０】
しかしながら、万が一、スリーマイル原子力発電所の原子力プラントのように、原子炉内の炉心に装荷している燃料集合体に含まれる核燃料物質が溶融する事故が発生した場合には、この溶融した核燃料物質（以下溶融燃料と呼ぶ）を切削し、原子炉から搬出する際に、ウランと水の混合割合が臨界に適したものとなり、かつウランと水の混合体の大きさが臨界となる条件以上に大きくなる可能性がある。この場合は、臨界防止のために別な手段が必要となる。
【００１１】
例えばスリーマイル原子力発電所の事故後の溶融燃料の切削および搬出に際しては、核燃料物質を水中に保持しながら切削および搬出を行う場合において、中性子吸収材であるホウ素を一定以上の濃度となるように水に添加する方法がNuclear Technology誌87巻（1989）660-678ページに記載されている。
【００１２】
しかしながら、水のホウ素濃度を一定以上維持するためには、原子炉の給排水量を監視しながら適切な量のホウ素を添加し続けるなど、様々な施策が必要となる。また、核燃料物質に含まれる核分裂性物質の量が多くなるほど、臨界とならないようにするために必要なホウ素濃度が高くなるため、ホウ素濃度を維持するためのホウ素量も増加する。
【００１３】
本発明の目的は、核燃料物質を水中に保持しながら切削を行う場合において、ホウ素を添加せずとも臨界防止が可能な、溶融燃料の切削装置および切削方法を提供することにある。
【課題を解決するための手段】
【００１４】
上記した目的を達成する本発明の特徴は、核燃料物質を切削する切削機と、前記切削機の周囲を囲うように核燃料物質片の飛散を抑制する臨界防止カバーとを有してなり、前記臨界防止カバーを着脱可能として、前記核燃料物質の状態に応じて臨界防止に適切な大きさの臨界防止カバーに付け替えられるようにしたものである。
【００１５】
また上記した目的を達成する本発明は好ましくは、前記臨界防止カバーは円筒形状を有し、円筒内径の異なる複数の前記臨界防止カバーを付け替えられるようにすると良い。
【００１６】
また上記した目的を達成する本発明は好ましくは、前記臨界防止カバーは角型形状を有し、内幅の異なる複数の臨界防止カバーを付け替えられるようにすると良い。
【００１７】
また上記した目的を達成する本発明の特徴は、切削機により核燃料物質の切削を行う場合において、前記核燃料物質の状態に応じて臨界防止に適切な大きさの臨界防止カバーを選択する工程と、前記核燃料物質上に前記臨界防止カバーを配置する工程と、前記臨界防止カバーに設けられた開口部から切削機を差し込んで核燃料物質の切削を行う工程とからなるものである。
【００１８】
また上記した目的を達成する本発明は好ましくは、前記臨界防止カバーは、格子形状であると良い。
【発明の効果】
【００１９】
本発明によれば、溶融した核燃料物質を切削する際に、臨界にならないようにするために水に添加するホウ素が不要となる溶融燃料の切削装置および切削方法を提供できる。
【図面の簡単な説明】
【００２０】
【図１】本発明の実施例１に係わる核燃料物質の切削装置を示す図である。
【図２】本発明の実施例１に係わる臨界防止カバーと切削機支持部材の固定構造を示す断面図である。
【図３】本発明の実施例１に係わる臨界防止カバーと切削機支持部材の固定構造を示す断面図である。
【図４】本発明の実施例１に係わる核燃料物質の切削装置の全体構成を示す概略図である。
【図５】本発明の実施例１に係わる核燃料物質の切削装置における臨界防止カバーの交換構成を示す図である。
【図６】本発明の実施例１に係わる溶融燃料の切削工程を説明するための図である。
【図７】本発明の実施例２に係わる核燃料物質の切削装置を示す図である。
【図８】本発明の実施例３に係わる核燃料物質の切削工程を示す図である。
【図９】本発明の実施例３に係わる核燃料物質の切削における臨界防止カバーの溶融燃料の上への配置例を示す図である。
【図１０】本発明の実施例３に係わる核燃料物の切削における臨界防止カバーの変形例を示す図である。
【図１１】本発明の実施例４に係わる核燃料物質の切削例を示す図である。
【図１２】本発明の実施例５に係わる核燃料物質の切削例を示す図である。
【発明を実施するための形態】
【００２１】
本発明の実施例を図にしたがって以下に説明する。
【実施例１】
【００２２】
本発明の好適な一実施例である、沸騰水型原子力プラントに適用した実施例１の核燃料物質の切削装置を、図１から図５を用いて説明する。  
図１（ａ）（ｂ）は溶融燃料を切削する部分を拡大した切削装置の部分断面と斜めから見た図である。
【００２３】
図１（ａ）（ｂ）において、切削機支持部材１の先端に取り付けられた切削機２により溶融燃料３（平均濃縮度ｅ）を切削する。切削機２の周囲には溶融燃料３の切削時に生じる核燃料物質片４の飛散を抑制するように円筒形の臨界防止カバー５が設置される。
【００２４】
切削時に臨界防止カバー５は切削機支持部材１に取り付けられるが、着脱可能な構造となっている。臨界防止カバー５は内径の異なる複数の種類が予め用意される。  
本実施例では、図１（ｃ）（ｄ）に示すように溶融燃料３の平均濃縮度が高い場合は内径の大きな臨界防止カバー５を用い、溶融燃料３の平均濃縮度が低い場合には内径の大きい臨界防止カバー５を用いることになる。
【００２５】
図２は臨界防止カバーと切削機支持部材との接続構造を示す図である。  
図２において、切削機支持部材１の先端部にはネジ溝１ａが切られている。また、臨界防止カバー５の切削機支持部材１の差し込み穴はネジ穴５ａとなっている。切削機支持部材１を臨界防止カバー５の差し込み穴に回転させながら差し込むことで、臨界防止カバー５を切削機支持部材１の先端に固定することができる。
【００２６】
図３は（ａ）（ｂ）は臨界防止カバーと切削機支持部材との着脱構成を説明する図である。  
図３（ａ）（ｂ）において、この例では、切削機支持部材１の先端に臨界防止カバー固定部材５ｂが設けられている。臨界防止カバー固定部材５ｂは図３（ｂ）に示すように、ワイヤ６と接合されている。ワイヤ６は、ガイド７を通して切削機支持部材５の内部に設けられた貫通部８を通り、臨界防止カバー固定部材５ｂよりも上部で切削機支持部材５の外部へ通され、ハンドル９と接合される。臨界防止カバー固定部材５ｂは通常スプリング１０によって先端部が切削機支持部材１の外部にはみ出た状態となる。
【００２７】
臨界防止カバー固定部材５ｂには、切削機支持部材１を臨界防止カバー５の差し込み穴５ｃに差し込んだときに、臨界防止カバー固定部材５ｂが切削機支持部材１の内部に押し込まれるようにテーパーが設けられている。
【００２８】
臨界防止カバー固定部材５ｂが臨界防止カバー５の差し込み穴５ｃを通過すると、再びスプリング１０によって切削機支持部材１の外部にはみ出た状態となる。臨界防止カバー固定部材５ｂのテーパーは下側にしか設けられていないため、切削機支持部材１を臨界防止カバー５から引き抜く方向に動かそうとしても、臨界防止カバー固定部材５ｂは切削機支持部１材内に引き込まれない。従って切削機支持部材１は臨界防止カバー５から引き抜かれない。ハンドル９を引っ張ることで、臨界防止カバー固定部材５ｂが切削機支持部材１内に引き込まれ、臨界防止カバー５を切削機支持部材１から外すことができる。
【００２９】
図４は切削装置の全体の構成を示す図である。  
図４において、切削機支持部材１は、格納容器１１上部に設置された切削機移動装置１２に接続されている。切削機移動装置１２は、同様に格納容器１１上部に設置された作業台１３上を、水平方向に移動することで、圧力容器１４内の溶融燃料３を切削する水平方向位置を決めることができる。切削機移動装置１２は、切削機支持部材１を上下に移動することで、溶融燃料３を切削する高さ方向位置を決めることができる。
【００３０】
図５は臨界防止カバーを交換する場合の構成を説明する図である。  
図５において、大きさの異なる複数の臨界防止カバー５（小）、５（大）は作業台１３の下部に置かれている。切削機支持部材１に取り付けられた臨界防止カバー５が、作業台１３下部の臨界防止カバー配置場所に来るように切削機移動装置１２で切削機支持部材１を移動させて臨界防止カバー５を取り外す。次に切削機支持部材１を付け替える臨界防止カバー５の位置まで移動させ、新たな臨界防止カバー５を装着する。
【００３１】
図６は溶融燃料の切削前と後の状態を説明する図である。  
図６において、図６(a)は切削前の溶融燃料３を示すものである。この溶融燃料３は核燃料物質と燃料被覆管、炉内構造材などが高温で溶けた後に冷却され、固化したものである。そのため、溶融燃料３内はほとんど空間のない物質であると考えられる。従って、溶融燃料３内ではウランに対して水の混合割合が少なく、中性子の減速が足りないために臨界とならない。
【００３２】
一方、図６の(b)は切削中の溶融燃料３を示すものである。切削され、小さな破片となった核燃料物質片３ａが、切削機２の回転などによって生じた水流に乗って舞い上がり、広い範囲に渡って飛散している状態である。この場合、多数の核燃料物質片３ａとそれらの間に存在する水の割合が臨界に適した条件となり、かつ核燃料物質片３ａの飛散する範囲がある程度以上になると、臨界となる可能性が生じる。
【００３３】
シミュレーションによる評価では、ウランの濃縮度が約５％で、ウランと水の体積割合が約１：２の場合、ウランと水の混合体が直径約４０ｃｍの球状になった場合に臨界となることが分かった。従って、本発明のように、切削機２の周囲に核燃料物質片３ａの飛散を抑制し、ウランと水の混合体が大きくならないようにすることで臨界を防止できる。具体的な例としては、図１に示す円筒形の臨界防止カバーの内径を４０ｃｍよりも小さくすることで臨界を防止できる。
【００３４】
なお、切削機の周囲をカバーで覆い、被切削物の飛散を防止する方法が、特開昭６３−１２２８６９号公報、特開平１１−２３１０８６号公報、特開２００４−２０３２１号公報に示されている。しかしながら、本発明の目的である、臨界防止の観点からは下記のような課題がある。
【００３５】
臨界となるウランと水の混合体の大きさは、溶融燃料に含まれる核分裂性同位体の量や、溶融燃料に含まれる燃料被覆管や炉内構造物の量などに依存する。上記の従来技術のようにカバーの大きさが固定されている場合は、ウランと水の混合体が臨界となる条件以上に大きくなる空間があり、臨界を防止できない可能性がある。また、逆にカバーが臨界防止で必要とされるよりも小さい場合もありうる。この場合、切削機の大きさが制限され、切削作業の効率が低下するなどの課題も生じる。
【００３６】
ウランと水の混合体が臨界となる大きさはシミュレーションによって評価できるため、本発明のように適切な大きさの臨界防止カバーを選択することで、臨界とならないようにしつつ、切削作業を効率良く行うことが可能になる。
【００３７】
また、溶融燃料に含まれる核分裂性同位体の量や、溶融燃料に含まれる燃料被覆管や炉内構造物の量などは、炉内の溶融燃料の位置によって異なる場合があり、従ってウランと水の混合体が臨界となる大きさも異なる場合がある。この場合も、本発明によれば、溶融燃料の切削位置によって臨界防止カバーを付け替えることで、臨界とならないようにしつつ、切削作業を効率良く行うことが可能になる。
【実施例２】
【００３８】
図７は実施例２に係る核燃料物質の切削装置を説明する図であり、図７（ａ）は部分断面図、図７（ｂ）は斜視図である。  
実施例１では、切削時の核燃料物質の飛散を抑制する円筒形の臨界防止カバーを用いた例を示したが、カバーの形状は円筒形に限るものではない。  
図７（ａ）（ｂ）に示すように、角型の臨界防止カバー５を用いた例を示している。角型の臨海防止カバー５でも、図７（ｃ）（ｄ）に示すように、内幅の異なる臨界防止カバー５を複数用意しておき、溶融燃料３の条件に応じて臨界防止のために最も適切な大きさの臨界防止カバー５に付け替えることで、臨界とならないようにしつつ、切削作業を効率良く行うことが可能になる。
【００３９】
また、複数の大きさの臨界防止カバーを用意する場合、円筒形や角型など、いずれか一種類の形状に限定する必要はなく、様々な形状のものを用意しておくことも考えられる。溶融燃料切削時には、溶融燃料の周囲に障害物が存在する場合も考えられ、それら障害物の間に置くのに最も適切な形状を選択することも考えられる。
【実施例３】
【００４０】
図８は実施例３に係る核燃料物質の切削装置を説明する図であり、図８（ａ）は部分断面図、図８（ｂ）は斜視図である。  
実施例１および実施例２では、臨界防止カバー５は切削機支持部材１に固定され、切削機支持部材１とともに炉内に出し入れされていた。しかしながら、本実施例における臨界防止カバー５は、切削時に核燃料物質片３ａの飛散を抑制するのが目的なので、切削支持部材１に固定される必要はない。
【００４１】
図８に示す実施例３では、円筒形の臨界防止カバー５をあらかじめ溶融燃料３上に配置し、臨界防止カバー５の差し込み穴５ｃから切削機２を臨界防止カバー５内に差し込んで切削作業を行う。このとき、実施例１および２と同様に、あらかじめ溶融燃料３の条件などから臨界を防止するのに必要な臨界防止カバーの大きさを評価し、図８（ｃ）（ｄ）に示すように、適切な大きさの臨界防止カバーを選択することができる。
【００４２】
図９は切削装置の全体の構成を示す図である。  
図９において、切削機支持部材１は図４、図５と同様に、切削機移動装置１２により水平方向および軸方向に移動できるアーム支持部材１５の先端に設置されたアーム１６により、臨界防止カバー５を作業台１３下の臨界防止カバー５の配置場所から溶融燃料３上に運ぶ。その後アーム１６を炉内から引き上げ、代りに切削機２を炉内に挿入して溶融燃料３の切削を行う。  
本実施例では、切削機２で切削する前に臨界防止カバー５を溶融燃料３上に設置するという手順が増えるが、臨界防止カバー５を切削機支持部材１に固定する手順を省くことができる。
【００４３】
なお、図９では切削機２とアーム１６の支持部材を別々に設置した例を示したが、切削機２とアーム１６を切削機支持部材１からそれぞれ着脱可能とし、切削機支持部材１を切削機２とアーム１６で共有する方法も考えられる。この場合、最初にアーム１６を切削機支持部材１に接続し、臨界防止カバー５をカバー配置場所から溶融燃料３上に運ぶ。その後、支持部材を炉内から引き上げ、アームを切削機に付け替えて、溶融燃料の切削を行う。アームと切削機を取り換える手間はかかるものの、支持部材を一つにすることで切削機移動装置を簡略化することができる。
【００４４】
また、図９では切削機支持部材１とアーム支持部材１５を一つの切削機移動装置１２で移動させる例を示したが、切削機支持部材１とアーム支持部材１５を別々の移動装置で移動させる方法も考えられる。この場合、それぞれに移動装置が必要となるが、臨界防止カバー５の溶融燃料３上への配置と切削機２の溶融燃料３上への移動をほぼ並行して行うことができ、作業時間を短縮できる。
【００４５】
また、図８では、切削機の挿入のための開口部を設けた円筒形の臨界防止カバーの例を示したが、図１および図７で示したカバーの関係と同様に、核燃料物質片の飛散を抑制する観点からは本実施例でもカバー形状が円筒形である必要はなく、切削機の挿入のための開口部を設けた角型形状やその他の形状でも構わない。いずれの形状の場合でも、あらかじめ溶融燃料の条件などから臨界を防止するのに必要な臨界防止カバーの大きさを評価し、適切な大きさのカバーを選択することができる。
【００４６】
図８で示した実施例２の臨界防止カバー５は、切削機支持部材１と臨界防止カバー５に設けられた切削機支持部材１の差し込み穴５ｃとの間に隙間がある。しかしながら、核燃料物質片は重金属からなる重い物質のため、切削機２の回転などで生じる水流によって巻き上げられたとしても、すぐに沈殿すると考えられる。
【００４７】
従って、臨界防止カバー５の高さをある程度、例えば数１０ｃｍ以上とすることで、切削機支持部材１と切削機支持部材１の差し込み穴５ｃの隙間から核燃料物質片４が漏れ出る量は少なくなる。従って、臨界となる大きさ以上にウランと水の混合体が形成されることはないと考えられる。また、仮に漏れ出た核燃料物質が広範囲に拡がったとしても、核燃料物質片４は大量の水の中に少量存在することになり、ウランに対する水の量が、臨界に適した混合割合と比較して逆に大きくなるため、臨界となることはない。
【００４８】
しかしながら、臨界防止カバー５の高さをあまり高くせずに、核燃料物質片４の、切削機支持部材１と切削機支持部材１の差し込み穴５ｃの隙間からの漏えいをより低減させる観点から、図１０に示すように、臨界防止カバー５を、切削機支持部材１の差し込み穴５ｃを絞った形状とすることも考えられる。
【００４９】
なお、図１０（ａ）は本実施例に係わる核燃料物質の切削装置の部分断面図であり、図１０（ｂ）はその斜視図である。
【実施例４】
【００５０】
図１１は実施例４に係わる核燃料物質の切削装置を説明する斜視図である。  
図１１において、図８で示す実施例３は、切削機支持部材１の差し込み穴５ｃが一つだけある臨界防止カバー５を設置する例を示したが、核燃料物質片４の飛散を抑制する観点からは、差し込み穴５ｃが一つだけである必要はない。  
図１１に示すように、核燃料物質片４の飛散を防ぐための臨界防止カバー５として、上部開口４を４つ設けた格子形状の臨界防止カバー５を設置した例を示している。  
それぞれの格子の内幅をパラメータとして、あらかじめ溶融燃料３の条件などから臨界を防止するのに必要な格子幅を評価し、適切な格子幅の臨界防止カバーを選択することができる。
【００５１】
本実施例によれば、差し込み穴５ｃが一つの場合と比較して、臨界防止カバーを移動することなく、複数個所の溶融燃料を切削することができるため、広い範囲を効率よく切削することができる。
【実施例５】
【００５２】
図１２は実施例５に係わる核燃料物質の切削装置を説明する斜視図である。  
図１２において、実施例１〜４ではドリル形状の切削機２を用いた例を示したが、切削機４はドリル形状に限らない。  
例えば、円盤鋸状の切削機２を用いることもでき、核燃料物質片４の飛散を防止するカバー形状もそれに適したものを使用できる。
【００５３】
図１２に示すように、切削機２として円盤鋸状のものを用い、臨界防止カバー５として水平方向に細長い格子状のものを用いた例を示している。それぞれの格子の短尺となる方の内幅を十分に短く、例えば数cmとすることで、長尺側が相対的に長く、例えば数ｍとなる場合でも、ウランと水との混合体を細長い形状に保つことで臨界となるのを防止できる。臨界を防止するために適切な短尺側格子幅は、あらかじめ溶融燃料の条件などから評価できる。
【００５４】
本実施例によれば、円盤鋸状の切削機を用いて、カバーを移動することなく、溶融燃料を広範囲で切削できる。
【００５５】
以上のごとく本発明によれば、溶融燃料の切削により生じた核燃料物質片が、切削機の回転などで生じた水流によって巻き上げられることで、低濃縮ウランが臨界となる二つの条件である、ウランと水の混合割合とウランと水の混合体の大きさが共に臨界となる条件に達する可能性が生じた場合でも、カバーにより混合体の大きさを制限することで、臨界を防止できる。結果として、ホウ素添加なしでも安全に溶融燃料の切削を行うことができる。
【符号の説明】
【００５６】
１…切削機支持部材、                １ａ…ネジ溝、
２…切削機、                        ３…溶融燃料、
３ａ…核燃料物質片、                ４…核燃料物質、
５…臨界防止カバー、                ５ａ…ネジ穴、
５ｂ…臨界防止カバー固定部材、      ５ｃ…差し込み穴、
６…ワイヤ、                        ７…ガイド、
８…貫通部、                        ９…ハンドル、
１０…スプリング、                  １１…格納容器、
１２…切削機移動装置、              １３…作業台、
１４…圧力容器、                    １５…アーム支持部材、
１６…アーム。
【図１】
2013205127.tif 000003
【図２】
2013205127.tif 000004
【図３】
2013205127.tif 000005
【図４】
2013205127.tif 000006
【図５】
2013205127.tif 000007
【図６】
2013205127.tif 000008
【図７】
2013205127.tif 000009
【図８】
2013205127.tif 000010
【図９】
2013205127.tif 000011
【図１０】
2013205127.tif 000012
【図１１】
2013205127.tif 000013
【図１２】
2013205127.tif 000014